(57)【特許請求の範囲】
【請求項１】
時間に応じて使用する周波数帯域が変化する信号の物理量を、時間に対応づけて測定する物理量測定手段と、
前記信号が使用している周波数帯域の種類を、時間に対応づけて決定する帯域種類決定手段と、
前記物理量を時間軸に対応付けて表示器に表示させるための物理量表示図形を生成する物理量表示図形生成手段と、
前記周波数帯域の種類を時間軸に対応付けて表示器に表示させるための帯域表示図形を生成する帯域表示図形生成手段と、
を備え、
前記帯域表示図形は、前記時間軸とは垂直な方向に所定の高さを有する図形であり、
前記物理量がEVMまたは位相誤差である、
測定装置。
【請求項２】
請求項１に記載の測定装置であって、
前記帯域表示図形は、前記周波数帯域の種類ごとに色または模様が異なる測定装置。
【請求項３】
請求項１に記載の測定装置であって、
前記時間軸に前記信号のシンボルが表示されている測定装置。
【請求項４】
請求項１に記載の測定装置であって、
前記物理量表示図形は、前記時間軸からの距離が前記物理量に相当する表示点を直線で結んだものである測定装置。
【請求項５】
請求項１に記載の測定装置であって、
前記帯域表示図形の前記所定の高さが前記物理量に相当する測定装置。
【請求項６】
請求項１に記載の測定装置であって、
前記帯域表示図形の前記所定の高さが一定である測定装置。
【請求項７】
請求項１に記載の測定装置であって、
前記帯域表示図形は、特定の周波数帯域だけについて表示される測定装置。
【請求項８】
時間に応じて使用する周波数帯域が変化する信号の物理量を、時間に対応づけて測定する物理量測定工程と、
前記信号が使用している周波数帯域の種類を、時間に対応づけて決定する帯域種類決定工程と、
前記物理量を時間軸に対応付けて表示器に表示させるための物理量表示図形を生成する物理量表示図形生成工程と、
前記周波数帯域の種類を時間軸に対応付けて表示器に表示させるための帯域表示図形を生成する帯域表示図形生成工程と、
を備え、
前記帯域表示図形は、前記時間軸とは垂直な方向に所定の高さを有する図形であり、前記物理量がEVMまたは位相誤差である図形生成方法。
【請求項９】
時間に応じて使用する周波数帯域が変化する信号の物理量を、時間に対応づけて測定する物理量測定処理と、
前記信号が使用している周波数帯域の種類を、時間に対応づけて決定する帯域種類決定処理と、
前記物理量を時間軸に対応付けて表示器に表示させるための物理量表示図形を生成する物理量表示図形生成処理と、
前記周波数帯域の種類を時間軸に対応付けて表示器に表示させるための帯域表示図形を生成する帯域表示図形生成処理と、
をコンピュータに実行させるためのプログラムであって、
前記帯域表示図形は、前記時間軸とは垂直な方向に所定の高さを有する図形であり、前記物理量がEVMまたは位相誤差であるプログラム。
【請求項１０】
時間に応じて使用する周波数帯域が変化する信号の物理量を、時間に対応づけて測定する物理量測定処理と、
前記信号が使用している周波数帯域の種類を、時間に対応づけて決定する帯域種類決定処理と、
前記物理量を時間軸に対応付けて表示器に表示させるための物理量表示図形を生成する物理量表示図形生成処理と、
前記周波数帯域の種類を時間軸に対応付けて表示器に表示させるための帯域表示図形を生成する帯域表示図形生成処理と、
をコンピュータに実行させるためのプログラムを記録したコンピュータによって読み取り可能な記録媒体であって、
前記帯域表示図形は、前記時間軸とは垂直な方向に所定の高さを有する図形であり、前記物理量がEVMまたは位相誤差である記録媒体。
【発明の詳細な説明】
【技術分野】  本発明は、ホッピング無線信号の変調解析の結果の表示に関する。
【背景技術】  従来より、ＵＷＢ（Ｕｌｔｒａ  Ｗｉｄｅ  Ｂａｎｄ）という超広帯域を利用する通信技術が知られている（例えば、特許文献１（特開２００３−１７９５７７号公報）を参照）。ＵＷＢにおいては、シンボル毎に使用する周波数を変更する周波数ホッピングが使用されている。
また、時間軸に対応付けて、ＵＷＢ信号のＥＶＭ（Ｅｒｒｏｒ  Ｖｅｃｔｏｒ  Ｍａｇｎｉｔｕｄｅ）および位相誤差を測定することも周知である。
第１１図（ａ）に時間軸に対応付けてＵＷＢ信号のＥＶＭを表示したグラフ、第１１図（ｂ）に時間軸に対応付けてＵＷＢ信号の位相誤差を表示したグラフを示す。なお、第１１図においては横軸に時間軸をとり、時間をシンボル（シンボル２５〜３１を図示）で表示している。第１１図に示すグラフによれば、ある時間（シンボル）におけるＥＶＭおよび位相誤差がわかる。
しかしながら、第１１図に示すグラフによれば、ＥＶＭおよび位相誤差がどの周波数バンドに対応しているかがわからない。例えば、シンボル２５、２８、３１…の時は第一の周波数バンド、シンボル２６、２９、３２…の時は第二の周波数バンド、シンボル２７、３０、３３…の時は第三の周波数バンドを、ＵＷＢ信号が使用しているものとする。第１１図に示すグラフを見ただけでは、ＥＶＭおよび位相誤差が第一の周波数バンド、第二の周波数バントおよび第三の周波数バンドのいずれに対応しているかがわからない。
そこで、本発明は、周波数ホッピングを使用する信号の物理量（ＥＶＭおよび位相誤差など）が、どの周波数バンドについてのものかを表示することを課題とする。
【発明の開示】
本発明にかかる測定装置は、時間に応じて使用する周波数帯域が変化する信号の物理量を、時間に対応づけて測定する物理量測定手段と、前記信号が使用している周波数帯域の種類を、時間に対応づけて決定する帯域種類決定手段と、前記物理量を時間軸に対応付けて表示器に表示させるための物理量表示図形を生成する物理量表示図形生成手段と、前記周波数帯域の種類を時間軸に対応付けて表示器に表示させるための帯域表示図形を生成する帯域表示図形生成手段とを備え、前記帯域表示図形は、前記時間軸とは垂直な方向に所定の高さを有する図形であるように構成される。
上記のように構成された測定装置によれば、物理量測定手段が、時間に応じて使用する周波数帯域が変化する信号の物理量を、時間に対応づけて測定する。帯域種類決定手段が、前記信号が使用している周波数帯域の種類を、時間に対応づけて決定する。物理量表示図形生成手段が、前記物理量を時間軸に対応付けて表示器に表示させるための物理量表示図形を生成する。帯域表示図形生成手段が、前記周波数帯域の種類を時間軸に対応付けて表示器に表示させるための帯域表示図形を生成する。さらに、前記帯域表示図形は、前記時間軸とは垂直な方向に所定の高さを有する図形である。
本発明にかかる測定装置は、前記帯域表示図形が、前記周波数帯域の種類ごとに色または模様が異なるように構成されていてもよい。
本発明にかかる測定装置は、前記物理量がＥＶＭまたは位相誤差であるように構成されていてもよい。
本発明にかかる測定装置は、前記時間軸に前記信号のシンボルが表示されているように構成されていてもよい。
本発明にかかる測定装置は、前記物理量表示図形が、前記時間軸からの距離が前記物理量に相当する表示点を直線で結んだものであるように構成されていてもよい。
本発明にかかる測定装置は、前記帯域表示図形の前記所定の高さが前記物理量に相当するように構成されていてもよい。
本発明にかかる測定装置は、前記帯域表示図形の前記所定の高さが一定であるように構成されていてもよい。
本発明にかかる測定装置は、前記帯域表示図形が、特定の周波数帯域だけについて表示されるように構成されていてもよい。
本発明にかかる図形生成方法は、時間に応じて使用する周波数帯域が変化する信号の物理量を、時間に対応づけて測定する物理量測定工程と、前記信号が使用している周波数帯域の種類を、時間に対応づけて決定する帯域種類決定工程と、前記物理量を時間軸に対応付けて表示器に表示させるための物理量表示図形を生成する物理量表示図形生成工程と、前記周波数帯域の種類を時間軸に対応付けて表示器に表示させるための帯域表示図形を生成する帯域表示図形生成工程とを備え、前記帯域表示図形は、前記時間軸とは垂直な方向に所定の高さを有する図形であるように構成される。
本発明は、時間に応じて使用する周波数帯域が変化する信号の物理量を、時間に対応づけて測定する物理量測定処理と、前記信号が使用している周波数帯域の種類を、時間に対応づけて決定する帯域種類決定処理と、前記物理量を時間軸に対応付けて表示器に表示させるための物理量表示図形を生成する物理量表示図形生成処理と、前記周波数帯域の種類を時間軸に対応付けて表示器に表示させるための帯域表示図形を生成する帯域表示図形生成処理とをコンピュータに実行させるためのプログラムであって、前記帯域表示図形は、前記時間軸とは垂直な方向に所定の高さを有する図形であるプログラムである。
本発明は、時間に応じて使用する周波数帯域が変化する信号の物理量を、時間に対応づけて測定する物理量測定処理と、前記信号が使用している周波数帯域の種類を、時間に対応づけて決定する帯域種類決定処理と、前記物理量を時間軸に対応付けて表示器に表示させるための物理量表示図形を生成する物理量表示図形生成処理と、前記周波数帯域の種類を時間軸に対応付けて表示器に表示させるための帯域表示図形を生成する帯域表示図形生成処理と、をコンピュータに実行させるためのプログラムを記録したコンピュータによって読み取り可能な記録媒体であって、前記帯域表示図形は、前記時間軸とは垂直な方向に所定の高さを有する図形である記録媒体である。
【図面の簡単な説明】  第１図は、本発明の実施の形態にかかるグラフ表示装置２の構成を示す機能ブロック図である。
第２図は使用バンド決定部（帯域種類決定手段）３６の構成を示す機能ブロック図である。
第３図は、使用可能バンド記録部３６４の記録内容を示す図である。
第４図はグラフ生成器４０の構成を示す機能ブロック図である。
第５図は、ＥＶＭグラフ生成部４２の生成するＥＶＭグラフ４２ｂを示す図である。
第６図は、バンドグラフ生成部４６の生成するバンドグラフ４６ａを示す図である。
第７図は、バンドグラフ４６ａの第一変形例を示す図である。
第８図は、バンドグラフ４６ａの第二変形例を示す図である。
第９図は、表示器４９における表示態様の一例を示す図である。
第１０図は、本発明の実施形態にかかるグラフ表示装置２の動作を示すフローチャートである。
第１１図は、時間軸に対応付けてＵＷＢ信号のＥＶＭを表示したグラフ（第１１図（ａ））、および、ＵＷＢ信号の位相誤差を表示したグラフ（第１１図（ｂ））である。
【発明を実施するための最良の形態】  以下、本発明の実施の形態を図面を参照して説明する。
第１図は、本発明の実施の形態にかかるグラフ表示装置２の構成を示す機能ブロック図である。
信号受信装置１は、周波数ホッピング方式を使用したＲＦ（Ｒａｄｉｏ  Ｆｒｅｑｕｅｎｃｙ）信号を受信して復調し、グラフ表示装置２に与える。なお、信号受信装置１が受信するＲＦ信号は周波数ホッピング方式を使用したものなので、時間に応じて使用する周波数帯域が変化する。また、信号受信装置１が受信するＲＦ信号はＵＷＢ（Ｕｌｔｒａ  Ｗｉｄｅ  Ｂａｎｄ）信号であるものとする。さらに、ＲＦ信号はパルスにより変調（例えば、パルス幅変調）されているものとする。
グラフ表示装置２は、信号受信装置１から復調されたＲＦ信号を受けて、ＲＦ信号の物理量（例えば、ＥＶＭ、位相誤差）およびＲＦ信号が使用する周波数バンド（帯域）の種類を表示する。
信号受信装置１は、アンテナ１２、増幅器１４、ＲＦフィルタ１６、発振器２２、パルス発生器２４、乗算器２６、ローパスフィルタ２８、検出器２９を備える。なお、ＵＷＢ信号の受信装置自体は周知なものであり、概略を説明するに留める。
アンテナ１２は、周波数ホッピング方式を使用したＲＦ信号を受信して、増幅器１４に与える。増幅器１４は、アンテナ１２からＲＦ信号を受けて増幅する。ＲＦフィルタ１６は、増幅器１４の出力からノイズ等の不要な帯域の信号を除去し、ＲＦ信号を取り出して、乗算器２６に与える。
発振器２２は、パルス発生器２４に所定の周波数の信号を与える。パルス発生器２４は、発振器２２から与えられた周波数のパルスを発生する。乗算器２６は、ＲＦフィルタ１６の出力するＲＦ信号と、パルス発生器２４の発生するパルス信号とを乗算することにより、両者の相関を出力する。ローパスフィルタ２８は、乗算器２６の出力から高周波成分を除去する。検出器２９は、ローパスフィルタ２８の出力を受け、サンプリング等を行うことにより、ＲＦ信号を検出して、グラフ表示装置２に出力する。
グラフ表示装置２は、ＥＶＭ測定部（物理量測定手段）３２、位相誤差測定部（物理量測定手段）３４、使用バンド決定部（帯域種類決定手段）３６、グラフ生成器４０を備える。
ＥＶＭ測定部（物理量測定手段）３２は、信号受信装置１の出力に基づき、ＲＦ信号のＥＶＭ（Ｅｒｒｏｒ  Ｖｅｃｔｏｒ  Ｍａｇｎｉｔｕｄｅ）を時間に対応づけて測定する。ＥＶＭの測定法は周知なので説明を省略する。
位相誤差測定部（物理量測定手段）３４は、信号受信装置１の出力に基づき、ＲＦ信号の位相誤差を時間に対応づけて測定する。位相誤差の測定法は周知なので説明を省略する。
なお、ＥＶＭ測定部３２および位相誤差測定部３４は、ＲＦ信号の物理量（例えば、ＥＶＭおよび位相誤差）を測定するものといえる。
第２図は使用バンド決定部（帯域種類決定手段）３６の構成を示す機能ブロック図である。使用バンド決定部３６は、ＦＦＴ部３６２、使用可能バンド記録部３６４、使用バンド特定部３６６を有する。使用バンド決定部３６は、ＲＦ信号が使用している周波数帯域の種類（バンドＩＤ）を、時間に対応づけて決定する。
ＦＦＴ部３６２は、信号受信装置１から与えられたＲＦ信号をＦＦＴ（Ｆａｓｔ  Ｆｏｕｒｉｅｒ  Ｔｒａｎｓｆｏｒｍａｔｉｏｎ）することにより、ＲＦ信号の周波数スペクトルを出力する。すなわち、ＲＦ信号が使用している周波数帯域を、時間に対応づけて測定する。例えば、シンボル２５（時間をシンボルによって表記している）においてＲＦ信号が使用している周波数帯域が、３２００ＭＨｚから３６００ＭＨｚといったことが測定される。
第３図は、使用可能バンド記録部３６４の記録内容を示す図である。使用可能バンド記録部３６４は、ＲＦ信号が使用できる周波数帯域（バンド）を記録する。使用可能バンド記録部３６４は、ＵＷＢの規格である”ＭＢＯＡ  Ｐｈｙｓｉｃａｌ  ｌａｙｅｒ  Ｓｐｅｃｉｆｉｃａｔｉｏｎ”で規定されている内容を記録している。第３図に示す例では、使用可能バンドが三種類（バンドＩＤ＃１、＃２、＃３）が記録されており、バンドＩＤ＃１の中心周波数＜バンドＩＤ＃２の中心周波数＜バンドＩＤ＃３の中心周波数、となっている。
使用バンド特定部３６６は、ＦＦＴ部３６２の出力するＲＦ信号の周波数スペクトルを、使用可能バンド記録部３６４の記録内容と照合して、ＲＦ信号の使用する周波数帯域のバンドＩＤを特定する。例えば、ＦＦＴ部３６２により、シンボル２５においてＲＦ信号が使用している周波数帯域が、３２００ＭＨｚから３６００ＭＨｚであることが測定されたとする。また、使用可能バンド記録部３６４の記録内容は第３図に示すものとする。すると、シンボル２５においてＲＦ信号が使用している周波数帯域の種類は、バンドＩＤ＃１であるということが特定される。
このようにして、時間（シンボル）に対応づけてＲＦ信号が使用している周波数帯域の種類（バンドＩＤ）が特定される。例えば、シンボル２５、２６、２７、２８、２９、３０、３１、…においてバンドＩＤ＃１、＃２、＃３、＃１、＃２、＃３、＃１、…が使用されているといったことが特定される。
第４図はグラフ生成器４０の構成を示す機能ブロック図である。グラフ生成器４０は、ＥＶＭグラフ生成部（物理量表示図形生成手段）４２、位相誤差グラフ生成部（物理量表示図形生成手段）４４、バンドグラフ生成部（帯域表示図形生成手段）４６、表示設定部４７、ＶＲＡＭ４８、表示器４９を有する。
ＥＶＭグラフ生成部（物理量表示図形生成手段）４２は、ＲＦ信号の物理量であるＥＶＭを時間軸に対応付けて表示器４９に表示させるためのＥＶＭグラフ（物理量表示図形）４２ｂを生成する。なお、ＥＶＭは、ＥＶＭ測定部３２から取得する。
第５図は、ＥＶＭグラフ生成部４２の生成するＥＶＭグラフ４２ｂを示す図である。ＥＶＭグラフ４２ｂは、横軸に時間軸をとっている。時間軸にはＲＦ信号のシンボルが表示されているが、時間を表す単位であればＲＦ信号のシンボル以外のもの（例えば、「秒」）を表示してもよい。縦軸にはＲＦ信号のＥＶＭ［ｄＢ］が表示されている。ＥＶＭグラフ４２ｂは、表示点４２ａを直線で結んだものである。なお、表示点４２ａは時間軸からの距離が各シンボルにおけるＥＶＭに相当するものである。
位相誤差グラフ生成部（物理量表示図形生成手段）４４は、ＲＦ信号の物理量である位相誤差を時間軸に対応付けて表示器４９に表示させるためのグラフ（物理量表示図形）を生成する。位相誤差を表示させるためのグラフは、第５図を参照して説明したＥＶＭグラフ４２ｂと同様であるので（ただし、縦軸にはＲＦ信号の位相誤差［ｄｅｇ］が表示される）、説明を省略する。なお、位相誤差は、位相誤差測定部３４から取得する。
バンドグラフ生成部（帯域表示図形生成手段）４６は、ＲＦ信号が使用している周波数帯域の種類（バンドＩＤ）を時間軸に対応付けて表示器４９に表示させるためのバンドグラフ（帯域表示図形）４６ａを生成する。なお、ＲＦ信号が使用しているバンドＩＤは、使用バンド決定部３６から取得する。
第６図は、バンドグラフ生成部４６の生成するバンドグラフ４６ａを示す図である。なお、第６図においては、ＥＶＭグラフ４２ｂ（第５図参照）と重ねて、バンドグラフ４６ａを図示している。バンドグラフ４６ａは、周波数帯域の種類（バンドＩＤ）ごとに模様が異なっている。よって、バンドグラフ４６ａの模様を見ることにより、各シンボルにおいて使用されているバンドＩＤがわかる。第６図の例では、例えば、シンボル２５、２８、３１の時はバンドＩＤ＃１、シンボル２６、２９の時はバンドＩＤ＃２、シンボル２７、３０の時はバンドＩＤ＃３を使用していることがわかる。
なお、バンドグラフ４６ａの高さ（時間軸（横軸）を底辺として見る）は、各シンボルにおけるＥＶＭに相当する。また、バンドグラフ４６ａは、バンドＩＤごとに色が異なっているようにしてもよい。例えば、バンドグラフ４６ａの色を、バンドＩＤ＃１ならば青、バンドＩＤ＃２ならば緑、バンドＩＤ＃３ならば赤とする。さらに、ＥＶＭグラフ４２ｂと重ねてバンドグラフ４６ａを表示するかわりに、位相誤差を表示させるためのグラフと重ねてバンドグラフ４６ａを表示してもよい。
第７図は、バンドグラフ４６ａの第一変形例を示す図である。第７図に示すように、バンドグラフ４６ａは、幅が狭くてもよく、直線状のものでもよい。この場合は、バンドＩＤごとにバンドグラフ４６ａの色を変えると、各シンボルにおいて使用されているバンドＩＤがわかりやすい。
第８図は、バンドグラフ４６ａの第二変形例を示す図である。第８図に示すように、グラフの表示領域の背景にバンドＩＤに対応づけた模様または色を付けたものをバンドグラフ４６ａとしてもよい。このように、高さが一定のバンドグラフ４６ａを使用してもよい。すなわち、バンドグラフ４６ａは時間軸とは垂直な方向に高さ（ＥＶＭ等の物理量に相当する高さ、一定の高さなど）を有するものである。
第４図に戻り、表示設定部４７は、グラフの表示設定を行うためのものである。詳細には、ＥＶＭグラフ生成部４２、位相誤差グラフ生成部４４およびバンドグラフ生成部４６に、どのグラフをＶＲＡＭ４８に出力するかを指示する。
表示設定部４７は、例えば、ＧＵＩ（グラッフィク  ユーザ  インタフェース）により実装される。グラフ表示装置２の利用者は、表示設定部４７を利用して、グラフの表示設定を行う。設定できる内容は、下記の通りである。
物理量表示図形について：
（１）または（２）のいずれか一つを選択できる。
（１）ＥＶＭグラフ４２ｂを表示する。
（２）位相誤差を表示させるためのグラフを表示する。
バンドグラフ（帯域表示図形）４６ａについて：
（３）から（６）までのいずれか一つを選択できる。
（３）バンドＩＤ＃１、＃２、＃３の全てについて表示する。
（４）バンドＩＤ＃１についてのみ表示する。
（５）バンドＩＤ＃２についてのみ表示する。
（６）バンドＩＤ＃３についてのみ表示する。
表示設定部４７によって、（１）が選択された場合は、ＥＶＭグラフ生成部４２からＥＶＭグラフ４２ｂが出力され、ＶＲＡＭ４８に記録される。表示設定部４７によって、（２）が選択された場合は、位相誤差グラフ生成部４４から位相誤差を表示させるためのグラフが出力され、ＶＲＡＭ４８に記録される。
表示設定部４７によって、（３）が選択された場合は、バンドグラフ生成部４６からバンドグラフ４６ａ（バンドＩＤ＃１、＃２、＃３の全てについて）が出力され、ＶＲＡＭ４８に記録される。表示設定部４７によって、（４）が選択された場合は、バンドグラフ生成部４６からバンドグラフ４６ａ（バンドＩＤ＃１についてのみ）が出力され、ＶＲＡＭ４８に記録される。表示設定部４７によって、（５）が選択された場合は、バンドグラフ生成部４６からバンドグラフ４６ａ（バンドＩＤ＃２についてのみ）が出力され、ＶＲＡＭ４８に記録される。表示設定部４７によって、（６）が選択された場合は、バンドグラフ生成部４６からバンドグラフ４６ａ（バンドＩＤ＃３についてのみ）が出力され、ＶＲＡＭ４８に記録される。
第９図は、表示設定部４７により、「（１）ＥＶＭグラフ４２ｂを表示する」および「（４）バンドＩＤ＃１についてのみ表示する」を設定したときの表示器４９における表示態様を示す図である。第９図に示すように、バンドグラフ４６ａがバンドＩＤ＃１についてのみ表示されており、バンドＩＤ＃２および＃３については表示されない。なお、第６図から第８図までは、「（１）ＥＶＭグラフ４２ｂを表示する」および「（３）バンドＩＤ＃１、＃２、＃３の全てについて表示する」を設定したときの表示器４９における表示態様を示すものといえる。
ＶＲＡＭ（Ｖｉｄｅｏ  Ｒａｎｄｏｍ  Ａｃｃｅｓｓ  Ｍｅｍｏｒｙ）４８は、ＥＶＭグラフ生成部４２、位相誤差グラフ生成部４４およびバンドグラフ生成部４６から出力された表示図形（グラフ）を記録する。
表示器４９は、ＶＲＡＭ４８から表示図形（グラフ）を読み出して表示する。
次に、本発明の実施形態の動作を説明する。
周波数ホッピング方式を使用したＲＦ信号（ＵＷＢ信号）が信号受信装置１のアンテナ１２によって受信されると、増幅器１４によって増幅され、さらにＲＦフィルタ１６によってノイズ等の不要な帯域の信号が除去されて、乗算器２６に与えられる。
また、パルス発生器２４は、発振器２２から与えられた周波数のパルスを発生して、乗算器２６に与える。
乗算器２６は、ＲＦフィルタ１６の出力するＲＦ信号と、パルス発生器２４の発生するパルス信号とを乗算することにより、両者の相関を出力する。乗算器２６の出力からは、ローパスフィルタ２８により、高周波成分が除去される。そして、検出器２９は、ローパスフィルタ２８の出力を受け、サンプリング等を行うことにより、ＲＦ信号を検出して、グラフ表示装置２に出力する。
第１０図は、本発明の実施形態にかかるグラフ表示装置２の動作を示すフローチャートである。
信号受信装置１の検出器２９の出力は、ＥＶＭ測定部（物理量測定手段）３２および位相誤差測定部（物理量測定手段）３４に与えられる。ＥＶＭ測定部３２はＲＦ信号のＥＶＭを測定し、位相誤差測定部３４はＲＦ信号の位相誤差を測定する（Ｓ１０）。
また、信号受信装置１の検出器２９の出力は、使用バンド決定部（帯域種類決定手段）３６にも与えられる。使用バンド決定部３６は、ＲＦ信号が使用している周波数帯域の種類（バンドＩＤ）を、時間に対応づけて決定する（Ｓ１２）。
次に、ＥＶＭグラフ生成部（物理量表示図形生成手段）４２が、ＥＶＭ測定部３２の測定結果を受けて、ＥＶＭグラフ４２ｂを生成する（Ｓ１４）。また、位相誤差グラフ生成部（物理量表示図形生成手段）４４が、位相誤差測定部３４の測定結果を受けて、位相誤差を表示させるためのグラフ（「位相誤差グラフ」という）を生成する（Ｓ１４）。
バンドグラフ生成部（帯域表示図形生成手段）４６が、使用バンド決定部３６の出力を受けて、バンドグラフ４６ａを生成する（Ｓ１６）。
ＥＶＭグラフ４２ｂ、位相誤差グラフおよびバンドグラフ４６ａは、表示設定部４７によって選択されたものがＶＲＡＭ４８に書き込まれる。
最後に、表示器４９が、ＶＲＡＭ４８から表示図形（グラフ）を読み出して表示する（Ｓ１８）。
本発明の実施形態によれば、周波数ホッピングを使用するＲＦ信号（例えば、ＵＷＢ信号）の物理量（ＥＶＭおよび位相誤差など）が、どのシンボル（またはどの時間（秒））の、どの周波数帯域の種類（バンドＩＤ）についてのものかをわかりやすく表示できる
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば、ＥＶＭグラフ生成部４２、位相誤差グラフ生成部４４およびバンドグラフ生成部４６）を実現するプログラムを記録したメディアを読み取らせて、ハードディスクにインストールする。このような方法でも、上記の実施形態を実現できる。
【図１】
0004774546.tif 000002
【図２】
0004774546.tif 000003
【図３】
0004774546.tif 000004
【図４】
0004774546.tif 000005
【図５】
0004774546.tif 000006
【図６】
0004774546.tif 000007
【図７】
0004774546.tif 000008
【図８】
0004774546.tif 000009
【図９】
0004774546.tif 000010
【図１０】
0004774546.tif 000011
【図１１】
0004774546.tif 000012